(57)【要約】【課題】合焦枠の数が少なかったり合焦枠同士の位置が離れたりしていると、合焦枠自体の視認性が低下する。そのため、ユーザが合焦ポイントを把握し難い。【解決手段】合焦枠表示制御装置を、撮影画像内の少なくとも１つの合焦エリアを示す少なくとも１つの合焦枠であって、所定の表示画面に表示される合焦枠の数に応じて、合焦枠の表示形態を設定する表示形態設定手段と、表示形態が設定された合焦枠を撮影画像に重畳して表示画面に表示させる重畳表示手段と、から構成する。【選択図】図２
2015228617.tif 000002
【特許請求の範囲】
【請求項１】
撮影画像内の少なくとも１つの合焦エリアを示す少なくとも１つの合焦枠であって、所定の表示画面に表示される合焦枠の数に応じて、該合焦枠の表示形態を設定する表示形態設定手段と、
表示形態が設定された合焦枠を前記撮影画像に重畳して前記表示画面に表示させる重畳表示手段と、
を備える、
合焦枠表示制御装置。
【請求項２】
前記表示形態設定手段は、
前記表示画面に表示される合焦枠の数に応じて該合焦枠の線幅を設定する、
請求項１に記載の合焦枠表示制御装置。
【請求項３】
前記表示形態設定手段は、
前記表示画面に表示される合焦枠の数が少ないほど該合焦枠の線幅を太く設定する、
請求項２に記載の合焦枠表示制御装置。
【請求項４】
前記表示形態設定手段は、
更に、前記表示画面に表示される合焦枠同士の位置に応じて該合焦枠の線幅を設定する、
請求項２又は請求項３に記載の合焦枠表示制御装置。
【請求項５】
前記表示形態設定手段は、
前記表示画面に表示される合焦枠が互いに近接する複数の合焦枠を含むか否かを判定し、
前記表示画面に表示される合焦枠が互いに近接する複数の合焦枠を含むと判定されると、少なくとも互いに近接する複数の合焦枠については、該表示画面に表示される合焦枠の数に拘わらずその線幅を所定の線幅に設定する、
請求項４に記載の合焦枠表示制御装置。
【請求項６】
前記表示形態設定手段は、
前記互いに近接する複数の合焦枠の線幅を、前記表示画面に表示される合焦枠の数に応じて設定される場合の線幅よりも細く設定する、
請求項３を引用する請求項４又は請求項３を引用する請求項５に記載の合焦枠表示制御装置。
【請求項７】
撮影画像内の少なくとも１つの合焦エリアを示す少なくとも１つの合焦枠であって、所定の表示画面に表示される合焦枠の数に応じて、該合焦枠の表示形態を設定する表示形態設定ステップと、
表示形態が設定された合焦枠を前記撮影画像に重畳して前記表示画面に表示させる重畳表示ステップ
を含む、
合焦枠表示制御方法。
【請求項８】
前記表示形態設定ステップにて、
前記表示画面に表示される合焦枠の数に応じて該合焦枠の線幅を設定する、
請求項７に記載の合焦枠表示制御方法。
【請求項９】
前記表示形態設定ステップにて、
前記表示画面に表示される合焦枠の数が少ないほど該合焦枠の線幅を太く設定する、
請求項８に記載の合焦枠表示制御方法。
【請求項１０】
前記表示形態設定ステップにて、
更に、前記表示画面に表示される合焦枠の配置関係に応じて該合焦枠の線幅を設定する、
請求項８又は請求項９に記載の合焦枠表示制御方法。
【請求項１１】
前記表示形態設定ステップにて、
前記表示画面に表示される合焦枠が互いに近接する複数の合焦枠を含むか否かを判定し、
前記表示画面に表示される合焦枠が互いに近接する複数の合焦枠を含むと判定されると、少なくとも互いに近接する複数の合焦枠については、該表示画面に表示される合焦枠の数に拘わらずその線幅を所定の線幅に設定する、
請求項１０に記載の合焦枠表示制御方法。
【請求項１２】
前記表示形態設定ステップにて、
前記互いに近接する複数の合焦枠の線幅を、前記表示画面に表示される合焦枠の数に応じて設定される場合の線幅よりも細く設定する、
請求項９を引用する請求項１０又は請求項９を引用する請求項１１に記載の合焦枠表示制御方法。
【請求項１３】
被写体の撮影画像を生成する撮影画像生成手段と、
前記撮影画像生成手段により生成された撮影画像と、該撮影画像内の少なくとも１つの合焦エリアを示す少なくとも１つの合焦枠とを重畳処理する合焦枠表示制御装置であって、請求項１から請求項６の何れか一項に記載のものと、
を備える、
撮影装置。
【請求項１４】
前記合焦枠表示制御装置にて重畳処理された撮影画像と合焦枠とが表示される表示画面
を備える、
請求項１３に記載の撮影装置。
【発明の詳細な説明】
【技術分野】
【０００１】
本発明は、合焦エリアを示す合焦枠を撮影画像に重畳表示させる合焦枠表示制御装置、合焦枠表示制御方法及び撮影装置に関する。
【背景技術】
【０００２】
複数の測距エリアで被写体を測距可能な撮影装置が知られている。例えば特許文献１に、この種の撮影装置の具体的構成が記載されている。特許文献１に記載の撮影装置は、各測距エリアで被写体を測距し、これらの測距エリアの中から合焦した測距エリアに対応する撮影画像内の位置に合焦枠を重畳して、ＬＣＤ（Liquid Crystal Display）に表示させる。また、所定の条件に基づいて決定された優先度に従い、順次、各合焦枠内の画像を拡大してＬＣＤに表示させる。
【先行技術文献】
【特許文献】
【０００３】
【特許文献１】特開２００５−２９５４１８号公報
【発明の概要】
【発明が解決しようとする課題】
【０００４】
特許文献１に例示される既存の撮影装置において、撮影画像に重畳される合焦枠は、撮影画像の視認性を妨げないように細い線幅で表示される。そのため、例えば合焦枠の数が少なかったり合焦枠同士の位置が離れたりしていると、合焦枠自体の視認性が低下することにより、ユーザが合焦ポイントを把握し難いという問題が指摘される。
【０００５】
本発明は上記の事情に鑑みてなされたものであり、その目的とするところは、撮影画像の視認性を担保しつつ合焦枠自体の視認性を改善させることが可能な合焦枠表示制御装置、合焦枠表示制御方法及び撮影装置を提供することである。
【課題を解決するための手段】
【０００６】
本実施形態の合焦枠表示制御装置は、撮影画像内の少なくとも１つの合焦エリアを示す少なくとも１つの合焦枠であって、所定の表示画面に表示される合焦枠の数に応じて、合焦枠の表示形態を設定する表示形態設定手段と、表示形態が設定された合焦枠を撮影画像に重畳して表示画面に表示させる重畳表示手段とを備える。
【０００７】
このように、合焦枠の数に応じて合焦枠の表示形態を設定することにより、撮影画像の視認性を担保しつつ合焦枠自体の視認性を改善させることが可能となる。
【０００８】
表示形態設定手段は、表示画面に表示される合焦枠の数に応じて合焦枠の線幅を設定する構成としてもよい。
【０００９】
また、表示形態設定手段は、表示画面に表示される合焦枠の数が少ないほど合焦枠の線幅を太く設定する構成としてもよい。
【００１０】
表示形態設定手段は、更に、表示画面に表示される合焦枠同士の位置に応じて合焦枠の線幅を設定する構成としてもよい。
【００１１】
また、表示形態設定手段は、表示画面に表示される合焦枠が互いに近接する複数の合焦枠を含むか否かを判定し、表示画面に表示される合焦枠が互いに近接する複数の合焦枠を含むと判定されると、少なくとも互いに近接する複数の合焦枠については、表示画面に表示される合焦枠の数に拘わらずその線幅を所定の線幅に設定する構成としてもよい。
【００１２】
また、表示形態設定手段は、互いに近接する複数の合焦枠の線幅を、表示画面に表示される合焦枠の数に応じて設定される場合の線幅よりも細く設定する構成としてもよい。
【００１３】
本実施形態の合焦枠表示制御方法は、撮影画像内の少なくとも１つの合焦エリアを示す少なくとも１つの合焦枠であって、所定の表示画面に表示される合焦枠の数に応じて、合焦枠の表示形態を設定する表示形態設定ステップと、表示形態が設定された合焦枠を撮影画像に重畳して表示画面に表示させる重畳表示ステップとを含む。
【００１４】
本実施形態の撮影装置は、被写体の撮影画像を生成する撮影画像生成手段と、撮影画像生成手段により生成された撮影画像と撮影画像内の少なくとも１つの合焦エリアを示す少なくとも１つの合焦枠とを重畳処理する上記の合焦枠表示制御装置とを備える。
【００１５】
撮影装置は、合焦枠表示制御装置にて重畳処理された撮影画像と合焦枠とが表示される表示画面を備える構成としてもよい。
【発明の効果】
【００１６】
本実施形態によれば、撮影画像の視認性を担保しつつ合焦枠自体の視認性を改善させることが可能な合焦枠表示制御装置、合焦枠表示制御方法及び撮影装置が提供される。
【図面の簡単な説明】
【００１７】
【図１】本発明の実施形態の撮影装置の構成を示すブロック図である。
【図２】本発明の実施形態の多点測距モード時における合焦枠の表示制御フローを示す図である。
【図３】本発明の実施形態の多点測距モード時に撮影装置の表示画面に表示される画面例を示す図である。
【図４】従来の多点測距モード時に撮影装置の表示画面に表示される画面例を示す図である。
【発明を実施するための形態】
【００１８】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１９】
［撮影装置１の構成］
図１は、本実施形態の撮影装置１の構成を示すブロック図である。図１に示されるように、撮影装置１は、ＣＰＵ（Central Processing Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０、ＬＣＤ制御回路１２２、ＬＣＤ１２４及びＲＯＭ（Read Only Memory）１２６を備えている。
【００２０】
操作部１０２には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２１】
レリーズスイッチが操作されると、ＣＰＵ１００は、撮影装置１に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。なお、この種のＡＥ及びＡＦの構成及び制御については周知であるため、ここでの詳細な説明は省略する。
【００２２】
被写体からの光束は、撮影レンズ１０６、絞り１０８、シャッタ１１０を通過してイメージセンサ１１２により受光される。イメージセンサ１１２は、例えばベイヤ型画素配置を有する単板式カラーＣＣＤ（Charge Coupled Device）イメージセンサであり、受光面上の各画素で結像した光学像を光量に応じた電荷として蓄積して、Ｒ（Red）、Ｇ（Green）、Ｂ（Blue）の各色に応じた撮像信号に変換し信号処理回路１１４に出力する。なお、イメージセンサ１１２は、例えばＣＭＯＳ（Complementary Metal Oxide Semiconductor）イメージセンサ等の他のイメージャであってもよい。
【００２３】
信号処理回路１１４は、イメージセンサ１１２より入力される電気信号（撮影データ）に対してクランプ、デモザイク等の所定の信号処理を施して、画像処理エンジン１１６に出力する。画像処理エンジン１１６は、信号処理回路１１４より入力される信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００２４】
カード用インタフェース１２０のカードスロットには、メモリカード２００が着脱可能に差し込まれている。
【００２５】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００２６】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画（ライブビュー）を、ＬＣＤ１２４の表示画面を通じて視認することができる。
【００２７】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００２８】
［多点測距モードにおける合焦枠の表示制御］
本実施形態では、多点測距モード時における被写体の合焦状態に応じてスルー画に重畳される合焦枠の線幅が設定される。図２は、多点測距モード時における合焦枠の表示制御フローを示す。図２に示される表示制御フローは、例えば、撮影直後（撮影画像データの記録操作前）のプレビュー時に又はレリーズスイッチが半押しされた状態で且つフレームレートに応じてスルー画が更新される毎に開始される。
【００２９】
［図２のＳ１１（合焦エリアの判定）］
本処理ステップＳ１１では、ＡＦ制御結果に基づいて複数の測距エリアの中から合焦した測距エリア（合焦エリア）が検出されたか否か（言い換えると、合焦したか否か）が判定される。合焦エリアが検出されないと判定された場合（Ｓ１１：ＮＯ）、ＬＣＤ１２４の表示画面に表示される（表示画面への表示が予定される）合焦枠が存在しないことから、本フローが終了する。
【００３０】
［図２のＳ１２（合焦エリア数の取得）］
本処理ステップＳ１２は、処理ステップＳ１１（合焦エリアの判定）にて合焦エリアが検出されたと判定された場合（Ｓ１１：ＹＥＳ）に実行される。本処理ステップＳ１２では、ＡＦ制御結果に基づいて検出された合焦エリア数の情報が取得される。
【００３１】
［図２のＳ１３（合焦エリア数の判定）］
本処理ステップＳ１３では、処理ステップＳ１２（合焦エリア数の取得）にて取得された合焦エリア数が「最大数ＭＡＸ／２」より多いか否かが判定される。最大数ＭＡＸは、多点測距モード時における測距エリアの総数と同一である。
【００３２】
［図２のＳ１４（合焦枠の線幅の設定）］
本処理ステップＳ１４は、処理ステップＳ１３（合焦エリア数の判定）にて合焦エリア数が「最大数ＭＡＸ／２」より多いと判定された場合（Ｓ１３：ＹＥＳ）に実行される。合焦枠が多い場合、ユーザが合焦枠を見落とし難くなることから、合焦枠の線幅が細くても合焦枠の視認性は担保される。寧ろ、撮影画像の視認性を妨げないという意味では合焦枠の線幅が細い方が望ましい。そのため、本処理ステップＳ１４では、ＬＣＤ１２４の表示画面に表示される合焦枠の線幅がｎドットに設定される。本実施形態において、ｎドットはデフォルト設定であり、設定可能な最も細い線幅である。本フローは、本処理ステップＳ１４の実行後、処理ステップＳ２３（合焦枠重畳表示）に進む。
【００３３】
［図２のＳ１５（合焦エリア数の判定）］
本処理ステップＳ１５は、処理ステップＳ１３（合焦エリア数の判定）にて合焦エリア数が「最大数ＭＡＸ／２」以下と判定された場合（Ｓ１３：ＮＯ）に実行される。本処理ステップＳ１５では、処理ステップＳ１２（合焦エリア数の取得）にて取得された合焦エリア数が「最大数ＭＡＸ／４」より多いか否かが判定される。
【００３４】
［図２のＳ１６（合焦枠の線幅の設定）］
本処理ステップＳ１６は、処理ステップＳ１５（合焦エリア数の判定）にて合焦エリア数が「最大数ＭＡＸ／４」より多いと判定された場合（Ｓ１５：ＹＥＳ）に実行される。本処理ステップＳ１６では、合焦枠が少ないほど合焦枠の視認性が低下することから、ＬＣＤ１２４の表示画面に表示される合焦枠の線幅が（ｎ＋１）ドットに設定される。すなわち、合焦枠は、デフォルト設定よりも僅かに太い線幅に設定される。本フローは、本処理ステップＳ１６の実行後、処理ステップＳ１９（合焦枠の表示位置の算出）に進む。
【００３５】
［図２のＳ１７（合焦エリア数の判定）］
本処理ステップＳ１７は、処理ステップＳ１５（合焦エリア数の判定）にて合焦エリア数が「最大数ＭＡＸ／４」以下と判定された場合（Ｓ１５：ＮＯ）に実行される。本処理ステップＳ１７では、処理ステップＳ１２（合焦エリア数の取得）にて取得された合焦エリア数が「１」より多いか否かが判定される。
【００３６】
［図２のＳ１８（合焦枠の線幅の設定）］
本処理ステップＳ１８は、処理ステップＳ１７（合焦エリア数の判定）にて合焦エリア数が「１」より多いと判定された場合（Ｓ１７：ＹＥＳ）に実行される。本処理ステップＳ１８では、合焦枠が更に少なく合焦枠の視認性が更に低下することから、ＬＣＤ１２４の表示画面に表示される合焦枠の線幅が（ｎ＋２）ドットに設定される。本フローは、本処理ステップＳ１８の実行後、処理ステップＳ１９（合焦枠の表示位置の算出）に進む。
【００３７】
［図２のＳ１９（合焦枠の表示位置の算出）］
本処理ステップＳ１９では、ＡＦ制御結果に基づいて各合焦エリアの位置情報が取得され、取得された位置情報に基づいて各合焦エリアを示す合焦枠の表示位置が算出される。
【００３８】
［図２のＳ２０（合焦枠の表示位置関係の判定）］
本処理ステップＳ２０では、処理ステップＳ１９（合焦枠の表示位置の算出）にて算出された各合焦エリアの位置情報に基づき、他の合焦枠と近接配置される合焦枠が存在するか否かが判定される。例えば、上下左右及び斜めの少なくとも一方に隣接する少なくとも１つの合焦枠との距離が数ドット以下の合焦枠は、他の合焦枠と近接配置される合焦枠と判定される。本処理ステップＳ２０にて他の合焦枠と近接配置される合焦枠が存在しないと判定された場合（Ｓ２０：ＮＯ）、本フローは、処理ステップＳ２３（合焦枠重畳表示）に進む。
【００３９】
［図２のＳ２１（合焦枠の線幅の設定）］
本処理ステップＳ２１は、処理ステップＳ２０（合焦枠の表示位置関係の判定）にて他の合焦枠と近接配置される合焦枠が存在すると判定された場合（Ｓ２０：ＹＥＳ）に実行される。互いに近接配置される合焦枠群は、ユーザの目に留まりやすいため、その視認性が担保される。そこで、本処理ステップＳ２１では、撮影画像の視認性を向上させるため、他の合焦枠と近接配置される合焦枠の線幅がｎドットに設定変更される。また、全ての合焦枠の線幅が一律にｎドットに設定変更されてもよい。本フローは、本処理ステップＳ２１の実行後、処理ステップＳ２３（合焦枠重畳表示）に進む。
【００４０】
［図２のＳ２２（合焦枠の線幅の設定）］
本処理ステップＳ２２は、処理ステップＳ１７（合焦エリア数の判定）にて合焦エリア数が「１」と判定された場合（Ｓ１７：ＮＯ）に実行される。本処理ステップＳ２２では、ＬＣＤ１２４の表示画面に表示される合焦枠が最小数であり視認性が低いことから、合焦枠の線幅が（ｎ＋３）ドットに設定される。すなわち、合焦枠は、設定可能な最も太い線幅に設定される。
【００４１】
［図２のＳ２３（合焦枠重畳表示）］
本処理ステップＳ２３では、上述した各処理ステップの実行によって設定された線幅の合焦枠がＡＦ制御結果に基づいて撮影画像に重畳されてＬＣＤ１２４の表示画面に表示される。これにより、本フローは終了する。
【００４２】
［表示画面例］
図３（ａ）及び図３（ｂ）は、本実施形態の多点測距モード時にＬＣＤ１２４の表示画面に表示される画面例を示す。図４は、従来の多点測距モード時にＬＣＤの表示画面に表示される画面例を示す。
【００４３】
図３（ａ）の画面例では、合焦エリア数が１６個ある。これは、「最大数ＭＡＸ／２」よりも多い。図３（ａ）の画面例では、合焦枠（図中、撮影画像に重畳された矩形状の枠）は、表示数が多いことから線幅が細くても視認性が担保される。そのため、合焦枠は、細い線幅（ｎドットの線幅）で表示される。
【００４４】
図３（ｂ）の画面例及び図４の画面例（従来例）では、合焦エリア数が２個である。これは、「最大数ＭＡＸ／４」以下である。これらの画面例では表示される合焦枠が少ないため、合焦枠の線幅が細い（ｎドット）場合、その視認性は低い（図４の従来例参照。）。これに対して、図３（ｂ）の画面例では、合焦枠の線幅が太い（（ｎ＋２）ドット）ため、その視認性が改善されていることが判る。
【００４５】
このように、本実施形態によれば、表示される合焦枠の数に拘わらず、撮影画像の視認性の担保と合焦枠の視認性の担保又は改善とが同時に達成される。
【００４６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００４７】
本実施形態では、撮影画像と合焦枠との重畳画像をＬＣＤ１２４の表示画面に表示させているが、別の実施形態では、重畳画像を撮影装置１に搭載された電子ビューファインダ（不図示）に表示させてもよい。
【００４８】
また、本実施形態では、合焦枠の形状が矩形状であるが、別の実施形態では、円形状や多角形状など別の形状であってもよい。
【００４９】
また、合焦枠の視認性を改善させるため、本実施形態では、合焦枠の線幅を太くしているが、別の実施形態では、合焦枠の線色を通常の線色から変更したり合焦枠を点滅させたりしてもよい。
【００５０】
また、図２に示される表示制御フローは、本実施形態では、撮影直後のプレビュー時に又はレリーズスイッチが半押しされた状態で且つフレームレートに応じてスルー画が更新される毎に実行されるが、別の実施形態では、ＬＣＤ１２４の表示画面に記録画像を再生表示させる際に実行されてもよい。この場合、撮影画像データに合焦エリアがメタ情報として記憶されている。
【符号の説明】
【００５１】
１  撮影装置
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  メモリカード
【図１】
2015228617.tif 000003
【図２】
2015228617.tif 000004
【図３】
2015228617.tif 000005
【図４】
2015228617.tif 000006